(57)【要約】【課題】従来の構造の帯状把手では、帯状把手の固形体を下方向に押し、切欠部と蓋の短側面に設けた把手嵌着部の狭部を重ねて、帯状把手を鉛蓄電池から取り外さなければならず、非常に困難であるという問題があった。本発明の目的は、容易に取り外すことが可能な帯状把手を備えた蓄電池を提供する。【解決手段】帯状把手を備えた蓄電池において、前記帯状把手は帯状部の少なくとも一方の端部に係止部を備え、前記帯状把手の係止部は前記蓄電池に設けた把手嵌着部に嵌着され、前記帯状把手の係止部につまみ部材を備えることを特徴とする。【選択図】図１
2005216655.tif 000002
【特許請求の範囲】
【請求項１】
帯状把手を備えた蓄電池において、前記帯状把手は帯状部の少なくとも一方の端部に係止部を備え、前記帯状把手の係止部は前記蓄電池に設けた把手嵌着部に嵌着され、前記帯状把手の係止部につまみ部材を備えることを特徴とする、帯状把手を備えた蓄電池。
【発明の詳細な説明】
【技術分野】
【０００１】
本発明は、帯状把手を備えた蓄電池に関する。
【背景技術】
【０００２】
蓄電池には種々の種類のものがあるが、使用される発電要素の材料によっては重量の重いものがある。例えば、発電要素に鉛が用いられている鉛蓄電池では、鉛の比重が１１．３４と大きく、重量の重い代表的な蓄電池である。しかし、鉛は他の蓄電池に使用されている材料に比べて価格が安いため、材料費のかさむ容量の大きい、例えば、自動車用の蓄電池では鉛蓄電池が主流である。
【０００３】
例えば、ＪＩＳ  Ｄ  ５３０１に規定される自動車用鉛蓄電池５５Ｄ２３形は、約１５．５Ｋｇの重量を有し、このような蓄電池の側面を持って運ぶのは容易でない。そこで、搬送を容易にするために、鉛蓄電池に把手を取り付ける方法が、例えば特許文献１や特許文献２に開示されている。
【０００４】
近年、電気製品を電源のない屋外で使用する要望が強くなっており、自動車用鉛蓄電池を自動車から取り外し、電源として使用することが多くなってきた。その場合、鉛蓄電池の搬送を容易にするためには、鉛蓄電池を自動車に装着した際も把手を取り付けたままにしたほうが便利である。その場合、鉛蓄電池を固定する固定用金具の障害にならないような工夫が必要で、その対策を施した蓄電池用把手が特許文献１で提案されている。
【０００５】
特許文献１で示されているような、従来の蓄電池用帯状把手の例を図２および図３に示す。図２は帯状把手の両端を鉛蓄電池の蓋側面に設けた把手嵌着部に嵌着させた状態を示す要部斜視図、図３は帯状把手を示す平面図である。図２および図３において、１は鉛蓄電池、２は鉛蓄電池の電槽、３は鉛蓄電池の蓋、４は鉛蓄電池の蓋３の短側面に設けた把手嵌着部、４１は把手嵌着部の狭部、５は液口栓、６ａは帯状把手、７は帯状把手の固形体、８は柔軟体、９は固形体に設けた切欠部、１０は固形体７と一体に形成された係止部、１４は端子である。
【０００６】
図２に示すように、帯状把手の固形体７に設けた切欠部９を鉛蓄電池蓋３の短側面に設けた把手嵌着部４の狭部４１に嵌合させ、帯状把手の係止部１０を把手嵌着部４に挿入し、上方向に引張上げると、係止部１０が把手嵌着部４に嵌着係止される。このような状態で、帯状把手の柔軟体８を手でつかんで持ち上げれば、鉛蓄電池の搬送が容易になる。
【０００７】
図４は、帯状把手を嵌着係止したままの鉛蓄電池を自動車に設置、固定した状態を示す要部正面図である。図４において、１１ａはバー形状の固定用金具、１２は固定用ボルト、１３は固定用ナットを示し、他の構成部材は図１と同じ番号を付記する。
【０００８】
図４に示すように、柔軟体８の上からバー形状の固定用金具１１ａを蓋３の表面に密着させ、ボルト１２とナット１３で金具１１ａを締め付けて、鉛蓄電池を固定することができる。なお、このような従来例では、帯状把手の固形体７と柔軟体８とは鉛蓄電池上面よりも上に位置している。
【０００９】
また、帯状把手が柔軟体８と係止部１０からのみ構成され、固形体７がない形状の場合にも、鉛蓄電池に帯状把手を嵌着係止した場合には、帯状把手が鉛蓄電池の上面に位置することになる。
【００１０】
【特許文献１】実開平０６−００２５５５号公報
【特許文献２】特開平１０−２８９７０１号公報
【発明の開示】
【発明が解決しようとする課題】
【００１１】
ところが、上記構造の帯状把手を備えた鉛蓄電池は、固定用金具の形態よっては把手が障害になり、固定用金具が適用できない問題を抱えている。
【００１２】
図５は、図４と異なる蓄電池固定方法の一例を示す要部正面図である。図５において、１１ｂは筋交い状の固定用金具を示し、他の構成部材は図４と同じ番号を付記する。
【００１３】
図５に示すように、トラック等に用いられる鉛蓄電池では、１２Ｖの蓄電池を２個直列に接続し、２４Ｖで使用され（図５では１個の鉛蓄電池のみを図示）、通常、固定に際して両蓄電池の短側部分に筋交い状の固定用金具１１ｂが設置される。この場合、図４に示すように、帯状把手が鉛蓄電池の蓋３の上面に位置していると、帯状把手が障害となり、筋交い状の固定用金具１１ｂを装着することができなくなる。
【００１４】
また、図６および図７は、他の蓄電池固定方法における、固定用金具の設置・固定例を示す要部平面図および要部正面図である。図６および図７において、１１ｃはカバー式の固定用金具、１５は端子用開口部を示し、他の構成部材は図４と同じ番号を付記する。
【００１５】
図６および図７に示すように、１個の鉛蓄電池の場合でも、固定用金具１１ｃがカバー方式で、蓄電池の蓋全面を覆う形状のものでは、図５の場合と同様、鉛蓄電池の蓋の上面に帯状把手が位置していれば、それが障害になり固定用金具１１ｃは設置・固定できない。
【００１６】
すなわち、固定用金具の形態によっては、帯状把手が障害になり、固定用金具が適用できない場合がある。このような場合には、帯状把手を鉛蓄電池から容易に取り外せることが重要である。また、一般に、鉛蓄電池を運搬する場合のみ、帯状把手を鉛蓄電池に嵌着係止し、運搬終了後には、すぐに帯状把手を取り外すことができると便利である。
【００１７】
しかしながら、図２および図３に示すような、従来の構造の帯状把手では、帯状把手の固形体７を下方向に押し、切欠部９と蓋３の短側面に設けた把手嵌着部の狭部４１を重ねて、帯状把手を鉛蓄電池から取り外さなければならず、取り外しが非常に困難であるという問題があった。
【００１８】
なお、鉛蓄電池を運搬する場合、帯状把手の両端は鉛蓄電池に固着・係止されているが、帯状把手を鉛蓄電池から取り外す場合には、帯状把手の両端を取り外す場合と、帯状把手の片方の端は鉛蓄電池に固着されたままで、一方の端のみを取り外せばよい場合とがある。
【００１９】
そこで、本発明の目的は、少なくとも一方の端が容易に取り外すことが可能な帯状把手を備えた蓄電池を提供することにある。
【課題を解決するための手段】
【００２０】
請求項１の発明は、帯状把手を備えた蓄電池において、前記帯状把手は帯状部の少なくとも一方の端部に係止部を備え、前記帯状把手の係止部は前記蓄電池に設けた把手嵌着部に嵌着され、前記帯状把手の係止部につまみ部材を備えることを特徴とする。
【発明の効果】
【００２１】
従来の帯状把手を備えた蓄電池においては、鉛蓄電池から帯状把手を取り外すのが容易でなかったが、本発明の帯状把手を備えた蓄電池においては、帯状把手の係止部につまみ部材を備えることにより、つまみ部材を指で引っ張るだけで鉛蓄電池から帯状把手を容易に取り外すことが可能となり、その工業的効果が極めて大である。
【発明を実施するための最良の形態】
【００２２】
本発明は、帯状把手を備えた蓄電池に関するもので、帯状把手は帯状部の少なくとも一方の端部に係止部を備えた構造であり、帯状把手の係止部は蓄電池に設けた把手嵌着部に嵌着されており、帯状把手の係止部につまみ部材を備えることを特徴とするものである。
【００２３】
本発明において、帯状把手を蓄電池から取り外す場合、帯状把手の係止部に備えられたつまみ部材を指でつかみ、引っ張ることにより、容易に鉛蓄電池から帯状把手を容易に取り外すことができるものである。
【００２４】
図１は本発明になる帯状把手を備えた蓄電池を示す要部斜視図、図８は本発明の帯状把手の要部平面図、図９は帯状把手の係止部を鉛蓄電池の把手嵌着部に嵌着した部分の拡大図である。図１、図８および図９において、６ｂは本発明の帯状把手、１６はつまみ部材を示し、他の構成部材は図１と同じ番号を付記する。この例では、つまみ部材１６は、２つある帯状把手の係止部１０の両方に備えられているが、どちらか一方だけに設けられていてもよい。
【００２５】
帯状把手を鉛蓄電池から取り外す場合、図９に示したように、つまみ部材１６を指でつかみ、下方に引き、帯状把手の係止部１０を鉛蓄電池の蓋３短側面に設けられた把手嵌着部４から引き出し、帯状把手の固形体７に設けた切欠部９と把手嵌着部の狭部４１とを重ねることにより、簡単に取り外すことが可能となる。
【００２６】
つまみ部材１６の形状は、指でつかむことができればどのような形状でもよく、図９に示したようなシート以外にも、板、織布、不織布、線やひも、網などの形状を用いることができる。
【００２７】
つまみ部材１６の材質は、特に限定されず、ポリエチレンやポリプロピレンなどの合成樹脂や合成繊維、綿や絹や麻などの天然繊維、アルミニウムや鉄などの金属を用いることができるが、使用する電池の電解液（硫酸、アルカリ、非水電解液）に耐える材質を選択することが好ましい。
【００２８】
帯状把手の形状は、図８に示したような、帯状部８が柔軟体からなり、この帯状部８の両端に固形体９を取り付け、さらに固形体９に係止部１０を取り付けたものとすることができる。また、固形体９は必ずしも必要ではなく、柔軟体からなる帯状部８に直接係止部１０を取り付けたものとしてもよい。
【００２９】
帯状部に用いる柔軟体の材質としては、ポリエチレン、ポリプロピレン、ナイロン、ポリエチレンテレフタレートなどの合成樹脂や合成繊維、綿や絹や麻などの天然繊維、皮革などを用いることができ、これらを織布や編布として、手で持った場合に握りやすく、変形可能なものが好ましい。
【００３０】
また、固形体および係止部の材質としては、ポリエチレン、ポリプロピレン、ＡＢＳ樹脂、アクリル樹脂、ポリサルフオンなどの、手で押したり指でつまむ程度の力を加えても容易に変形しない、硬いプラスチックや成形樹脂、金属などを用いることができる。特に係止部の材質は、手で帯状把手をつかみ、蓄電池を持ち上げ、係止部に電池の重量が加わった場合でも、係止部が変形せず、蓄電池を吊り下げることができる程度の硬さであることが必要である。なお、固形体と係止部の材質は、同じでもよいし、異なっていてもよい。
【００３１】
さらに、係止部の形状としては、図１では円柱を用いたが、その他の四角柱などの多角柱、楕円柱、これらを中空状にしたパイプなどを用いることができる。
【００３２】
本願発明において、帯状把手に備える「係止部」は、帯状部の両端に備える場合と帯状部の一方の端にのみ備える場合がある。係止部を帯状部の両端に備える場合には、つまみ部材は片方の係止部にのみ備えてもよいし、両方の係止部に備えてもよい。また、係止部を帯状部の一方の端にのみ備る場合には、帯状部の係止部を備えていない他方の端は、電池に固着されていてもよいし、本願の係止部とは異なる形状のもので電池に係止されていてもよい。
【００３３】
帯状部の他方の端を電池に固着する方法としては、ねじ止め、溶着、接着などがあり、この場合には、帯状部の他方の端は電池から取り外せない。また、本願の係止部とは異なる形状としては、かぎ状の引っ掛け等があり、この場合は、帯状部の他方の端は電池から取り外すことは可能であるが、特に簡単に取り外せるという条件は不必要である。
【実施例】
【００３４】
次に本発明を、実施例にもとづき図面を参照して説明する。
【００３５】
［実施例１〜６および比較例１］
［実施例１］
鉛蓄電池としては、ＪＩＳ  Ｄ  ５３０１に規定される自動車用鉛蓄電池５５Ｄ２３形を用いた。この鉛蓄電池は寸法約長さ２３２ｍｍ、幅１７３ｍｍ、高さ２０４ｍｍ、重量約１５．５Ｋｇである。
【００３６】
帯状把手としては、図８に示したのと同様の構造とし、柔軟体８はポリプロピレン（ＰＰ）繊維の織布からなり、寸法は幅２０ｍｍ、長さ２３５ｍｍ、厚み１ｍｍとした。柔軟体８の両端にはポリプロピレン（ＰＰ）樹脂板からなる固形体９を取り付けた。この固形体の寸法は幅２０ｍｍ、長さ２５ｍｍとした。この固形体９にはそれぞれ、ポリプロピレン（ＰＰ）樹脂製の、直径６ｍｍ、長さ３０ｍｍの、円柱状係止部１０を備えている。固形体と係止部は一体に形成されている。そして、円柱状係止部１０は、図１や図９に示したように、つまみ部材１６を備えている。図示していないが、つまみ部材１６は両方の円柱状係止部１０に備えた。つまみ部材１６の材質としては、ポリプロピレン（ＰＰ）製の、厚さ０．０５ｍｍ、長さ１ｍｍ、幅１０ｍｍのシートを用いた。
【００３７】
そして、図１や図９に示すように、帯状把手６ｂの円柱状係止部１０が、鉛蓄電池１の蓋３の短側面に設けられた把手嵌着部４に嵌着され、円柱状係止部１０からつまみ部１６が出ている構造である。これを実施例１の鉛蓄電池とした。
【００３８】
［実施例２］
つまみ部材１６の長さを２ｍｍとしたこと以外は実施例１と同様にして、実施例２の鉛蓄電池を作製した。
【００３９】
［実施例３］
つまみ部材１６の長さを３ｍｍとしたこと以外は実施例１と同様にして、実施例３の鉛蓄電池を作製した。
【００４０】
［実施例４］
つまみ部材１６の長さを４ｍｍとしたこと以外は実施例１と同様にして、実施例４の鉛蓄電池を作製した。
【００４１】
［実施例５］
つまみ部材１６の長さを５ｍｍとしたこと以外は実施例１と同様にして、実施例５の鉛蓄電池を作製した。
【００４２】
［実施例６］
つまみ部材１６の長さを６ｍｍとしたこと以外は実施例１と同様にして、実施例６の鉛蓄電池を作製した。
【００４３】
［比較例１］
つまみ部材を備えなかったこと以外は実施例１と同様にして、比較例１の鉛蓄電池を作製した。
【００４４】
実施例１〜６および比較例１の帯状把手を備えた鉛蓄電池を用い、鉛蓄電池から帯状把手を取り外す試験をおこなった。試験は、Ａ〜Ｅの５人が、それぞれの鉛蓄電池から帯状把手を取り外すことを１０回おこない、３秒以内に取り外せなかった場合を「失敗」とし、つまみ部材の長さと「失敗」の回数との関係を求めた。その結果を表１に示す。
【００４５】
【表１】
2005216655.tif 000003
【００４６】
表１からわかるように、つまみ部材の長さが１ｍｍの実施例１の場合は、ほとんどの場合が「失敗」となり、帯状把手を取り外せた場合はわずかであった。また、つまみ部材の長さが長くなるにしたがって「失敗」は少なくなり、つまみ部材の長さが５ｍｍ以上である実施例５および実施例６の場合には「失敗」はゼロとなった。なお、つまみ部材のない比較例１の場合には、すべて「失敗」であった。
【００４７】
このように、本発明のように、帯状把手の係止部につまみ部材を備えることにより、鉛蓄電池からの帯状把手の取り外しが簡単に行えることがわかった。なお、取り外しの失敗をなくすには、つまみ部材の長さを５ｍｍ以上にすればよいことが示された。
【００４８】
実施例１〜６では、つまみ部材は、帯状把手の両方の係止部に備えたが、一方の係止部にのみ備えた場合にも、鉛蓄電池からの帯状把手の取り外しが簡単に行えることは明らかである。
【００４９】
［実施例７］
帯状把手の係止部に備えるつまみ部材として、直径約０．５ｍｍ、長さ５ｍｍのナイロン製のひも５本を用いたこと以外は実施例１と同様にして、実施例７の鉛蓄電池を作製した。
【００５０】
［実施例８］
帯状把手の係止部に備えるつまみ部材として、直径約０．３ｍｍ、長さ５ｍｍのステンレス製の針金３本を用いたこと以外は実施例１と同様にして、実施例８の鉛蓄電池を作製した。
【００５１】
［実施例９］
帯状把手の係止部に備えるつまみ部材として、厚さ０．２ｍｍ、長さ５ｍｍ、幅１５ｍｍのポリプロピレン（ＰＰ）製シートを用いたこと以外は実施例１と同様にして、実施例９の鉛蓄電池を作製した。
【００５２】
実施例７〜９についても、実施例１〜６と同様にして、鉛蓄電池から帯状把手を取り外す試験をおこなった。その結果、いずれの場合も「失敗」はゼロとなった。この結果から、つまみ部材の形状としては、種々の形状のものを使用できることがわかった。
【００５３】
なお、上記実施例は、鉛蓄電池の例について説明したが、本発明は鉛蓄電池に限定されるものではなく、大型で重いアルカリ電池や非水電解液電池にも適用可能である。
【図面の簡単な説明】
【００５４】
【図１】本発明の帯状把手を鉛蓄電池に嵌着係止した状態を示す要部斜視図。
【図２】従来の帯状把手を鉛蓄電池に嵌着係止した状態を示す要部斜視図。
【図３】従来の帯状把手を示す要部平面図。
【図４】従来の帯状把手を鉛蓄電池に嵌着係止したままの鉛蓄電池をバー形状の固定用金具で設置・固定した状態を示す要部正面図。
【図５】筋交い状の固定用金具で鉛蓄電池を設置・固定した状態を示す要部正面図。
【図６】カバー方式の固定用金具で鉛蓄電池を設置・固定した状態を示す要部平面図。
【図７】カバー方式の固定用金具で鉛蓄電池を固定した状態を示す要部正面図。
【図８】本発明の帯状把手を示す要部平面図。
【図９】帯状把手の係止部を鉛蓄電池の把手嵌着部に嵌着した部分の拡大図。
【符号の説明】
【００５５】
１  鉛蓄電池
２  鉛蓄電池の電槽
３  鉛蓄電池の蓋
４  鉛蓄電池の蓋の短側面に設けた把手嵌着部
４１  把手嵌着部の狭部
５  液口栓
６ａ  帯状把手
７  帯状把手の固形体
８  柔軟体
９  固形体に設けた切欠部
１０  係止部
１１ａ  バー形状の固定用金具
１１ｂ  筋交い状の固定用金具
１１ｃ  カバー式の固定用金具
１２  固定用ボルト
１３  固定用ナット
１４  端子
１５  端子用開口部
１６  つまみ部材
【図１】
2005216655.tif 000004
【図２】
2005216655.tif 000005
【図３】
2005216655.tif 000006
【図４】
2005216655.tif 000007
【図５】
2005216655.tif 000008
【図６】
2005216655.tif 000009
【図７】
2005216655.tif 000010
【図８】
2005216655.tif 000011
【図９】
2005216655.tif 000012